【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
乾燥した密接混合物における細菌芽胞及びＬ−アミノ酸が、発芽を促す環境に達するまで近接位置に維持されるように一緒に乾燥される、該細菌芽胞と該Ｌ−アミノ酸との該乾燥した密接混合物を含む組成物でコーティングされた植物又は植物部分。
【請求項２】
花、種子、根、果実、塊茎、球根、根茎、シュート、芽、葉、苗及び移植体からなる群から選択される、請求項１に記載の植物又は植物部分。
【請求項３】
前記細菌芽胞がバチルス・アグリ、バチルス・アイザワイ、バチルス・アルボラクチス、バチルス・アルティチュジニス、バチルス・アミロリケファシエンス、バチルス・ブタノリボランス、バチルス・セレウス、バチルス・コアグランス、バチルス・エンドパラシチカス、バチルス・エンドリスモス、バチルス・フィルムス、バチルス・クルスターキ、バチルス・ラクチコラ、バチルス・ラクチモルバス、バチルス・ラクチス、バチルス・ラテロスポラス、バチルス・レンチモルブス、バチルス・リケニホルミス、バチルス・メガテリウム、バチルス・メデューサ、バチルス・メチエンス、バチルス・モジャベンシス、バチルス・ミコイデス、バチルス・ナットー、バチルス・ニグリフィカンス、バチルス・ポピリエ、バチルス・プミルス、バチルス・シアメンシス、バチルス・シンプレックス、バチルス・スファエリクス、バチルス属の種、バチルス・サブチリス、バチルス・チューリンゲンシス、バチルス・ウニファゲラツス、クロストリジウム・サーモセラム、クロストリジウム・リュングダリイ、クロストリジウム・アセトブチリカム、クロストリジウム・ベイジェリンキ、クロストリジウム・ブチリカム、パスツーリア・ペネトランス、パスツーリア・トルネイ、パスツーリア・ニシザワエ及びストレプトミセス属の一種からなる群から選択される、請求項１に記載の植物又は植物部分。
【請求項４】
前記Ｌ−アミノ酸がＬ−アラニン、Ｌ−バリン、Ｌ−プロリン、Ｌ−ロイシン、Ｌ−システイン、Ｌ−トレオニン、Ｌ−グルタミン、Ｌ−アスパラギン、Ｌ−フェニルアラニン及びそれらの類似体からなる群から選択される、請求項１に記載の植物又は植物部分。
【請求項５】
前記細菌芽胞がＢ．サブチリス、Ｂ．アミロリケファシエンス、Ｂ．フィルムス、Ｂ．リケニホルミス、Ｂ．メガテリウム及びＢ．プミルスからなる群から選択され、前記Ｌ−アミノ酸がＬ−アラニン、Ｌ−バリン及びＬ−アスパラギンからなる群から選択される、請求項１に記載の植物又は植物部分。
【請求項６】
植物又は植物部分における収量関連形質を向上させる方法であって、該植物又は植物部分を、乾燥した密接混合物における細菌芽胞及びＬ−アミノ酸が、発芽を促す環境に達するまで近接位置に維持されるように一緒に乾燥される、該細菌芽胞と該Ｌ−アミノ酸との該乾燥した密接混合物を含む組成物で処理することを含み、前記植物又は植物部分の収量関連形質が前記組成物でコーティングされていない対応する植物又は植物部分の収量関連形質と比べて向上する、方法。
【請求項７】
前記植物又は植物部分が種子である、請求項６に記載の方法。
【請求項８】
前記植物又は植物部分が花、種子、根、果実、塊茎、球根、根茎、シュート、芽、葉、苗及び移植体からなる群から選択される、請求項６に記載の方法。
【請求項９】
前記植物又は植物部分を発芽後に又は土壌から出現した後に前記組成物で処理することを含む、請求項６に記載の方法。
【請求項１０】
前記植物又は植物部分を発芽前に又は土壌から出現する前に前記組成物で処理することを含む、請求項６に記載の方法。
【請求項１１】
前記細菌芽胞がバチルス・アグリ、バチルス・アイザワイ、バチルス・アルボラクチス、バチルス・アルティチュジニス、バチルス・アミロリケファシエンス、バチルス・ブタノリボランス、バチルス・セレウス、バチルス・コアグランス、バチルス・エンドパラシチカス、バチルス・エンドリスモス、バチルス・フィルムス、バチルス・クルスターキ、バチルス・ラクチコラ、バチルス・ラクチモルバス、バチルス・ラクチス、バチルス・ラテロスポラス、バチルス・レンチモルブス、バチルス・リケニホルミス、バチルス・メガテリウム、バチルス・メデューサ、バチルス・メチエンス、バチルス・モジャベンシス、バチルス・ミコイデス、バチルス・ナットー、バチルス・ニグリフィカンス、バチルス・ポピリエ、バチルス・プミルス、バチルス・シアメンシス、バチルス・シンプレックス、バチルス・スファエリクス、バチルス属の種、バチルス・サブチリス、バチルス・チューリンゲンシス、バチルス・ウニファゲラツス、クロストリジウム・サーモセラム、クロストリジウム・リュングダリイ、クロストリジウム・アセトブチリカム、クロストリジウム・ベイジェリンキ、クロストリジウム・ブチリカム、パスツーリア・ペネトランス、パスツーリア・トルネイ、パスツーリア・ニシザワエ及びストレプトミセス種からなる群から選択される、請求項６に記載の方法。
【請求項１２】
前記Ｌ−アミノ酸がＬ−アラニン、Ｌ−バリン、Ｌ−プロリン、Ｌ−ロイシン、Ｌ−システイン、Ｌ−トレオニン、Ｌ−グルタミン、Ｌ−アスパラギン、Ｌ−フェニルアラニン及びそれらの類似体からなる群から選択される、請求項６に記載の方法。
【請求項１３】
前記細菌芽胞がＢ．サブチリス、Ｂ．アミロリケファシエンス、Ｂ．フィルムス、Ｂ．リケニホルミス、Ｂ．メガテリウム及びＢ．プミルスからなる群から選択され、前記Ｌ−アミノ酸がＬ−アラニン、Ｌ−バリン及びＬ−アスパラギンからなる群から選択される、請求項６に記載の方法。
【請求項１４】
廃水を処理する方法であって、乾燥した密接混合物における細菌芽胞及びＬ−アミノ酸が、発芽を促す環境に達するまで近接位置に維持されるように一緒に乾燥される、該細菌芽胞と該Ｌ−アミノ酸との該乾燥した密接混合物を含む組成物を廃水に添加することを含む、方法。
【請求項１５】
環境修復の方法であって、乾燥した密接混合物における細菌芽胞及びＬ−アミノ酸が、発芽を促す環境に達するまで近接位置に維持されるように一緒に乾燥される、該細菌芽胞と該Ｌ−アミノ酸との該乾燥した密接混合物を含む組成物を土壌又は水に適用することを含む、方法。
【請求項１６】
水産養殖システム内の水を処理する方法であって、乾燥した密接混合物における細菌芽胞及びＬ−アミノ酸が、発芽を促す環境に達するまで近接位置に維持されるように一緒に乾燥される、該細菌芽胞と該Ｌ−アミノ酸との該乾燥した密接混合物を含む組成物と水産養殖システム内の水とを接触させることを含む、方法。
【請求項１７】
水産養殖システム内の動物に給餌する方法であって、乾燥した密接混合物における細菌芽胞及びＬ−アミノ酸が、発芽を促す環境に達するまで近接位置に維持されるように一緒に乾燥される、該細菌芽胞と該Ｌ−アミノ酸との該乾燥した密接混合物を含む組成物を含む動物飼料を該水産養殖システム内の該動物に投与することを含む、方法。
【請求項１８】
乾燥した密接混合物における細菌芽胞及びＬ−アミノ酸が、発芽を促す環境に達するまで近接位置に維持されるように一緒に乾燥される、該細菌芽胞と該Ｌ−アミノ酸との該乾燥した密接混合物と許容可能な担体とを含む組成物を含むプロバイオティクス。
【請求項１９】
前記許容可能な担体が動物飼料、牛乳、ヨーグルト、チーズ、発酵乳、穀物、発酵穀物、ジュース、アイスクリーム、又は乳児若しくは小児用の配合物からなる群から選択される、請求項１８に記載のプロバイオティクス。
【請求項２０】
プロバイオティクスを作製する方法であって、乾燥した密接混合物における細菌芽胞及びＬ−アミノ酸が、発芽を促す環境に達するまで近接位置に維持されるように一緒に乾燥される、該細菌芽胞と該Ｌ−アミノ酸との該乾燥した密接混合物を含む組成物と許容可能な担体とを混合することを含む、方法。
【請求項２１】
動物に給餌する方法であって、乾燥した密接混合物における細菌芽胞及びＬ−アミノ酸が、発芽を促す環境に達するまで近接位置に維持されるように一緒に乾燥される、該細菌芽胞と該Ｌ−アミノ酸との該乾燥した密接混合物を含む組成物を動物に投与することを含む、方法。
【請求項２２】
乾燥した密接混合物における細菌芽胞及びＬ−アミノ酸が、発芽を促す環境に達するまで近接位置に維持されるように一緒に乾燥される、該細菌芽胞と該Ｌ−アミノ酸との該乾燥した密接混合物と許容可能な担体とを含む組成物を含む直接給与生菌。
【請求項２３】
直接給与生菌を作製する方法であって、乾燥した密接混合物における細菌芽胞及びＬ−アミノ酸が、発芽を促す環境に達するまで近接位置に維持されるように一緒に乾燥される、該細菌芽胞と該Ｌ−アミノ酸との該乾燥した密接混合物を含む組成物と許容可能な担体とを混合することを含む、方法。
【請求項２４】
乾燥した密接混合物における細菌芽胞及びＬ−アミノ酸が、発芽を促す環境に達するまで近接位置に維持されるように一緒に乾燥される、該細菌芽胞と該Ｌ−アミノ酸との該乾燥した密接混合物と許容可能な担体とを含む組成物を含むクリーニング製品。
【請求項２５】
クリーニング製品を作製する方法であって、乾燥した密接混合物における細菌芽胞及びＬ−アミノ酸が、発芽を促す環境に達するまで近接位置に維持されるように一緒に乾燥される、該細菌芽胞と該Ｌ−アミノ酸との該乾燥した密接混合物を含む組成物と許容可能な担体とを混合することを含む、方法。
【請求項２６】
廃棄物からメタンを製造する方法であって、乾燥した密接混合物における細菌芽胞及びＬ−アミノ酸が、発芽を促す環境に達するまで近接位置に維持されるように一緒に乾燥される、該細菌芽胞と該Ｌ−アミノ酸との該乾燥した密接混合物を含む組成物を廃棄物に適用することを含む、方法。
【請求項２７】
動物排泄物、床敷又は敷料を処理する方法であって、乾燥した密接混合物における細菌芽胞及びＬ−アミノ酸が、発芽を促す環境に達するまで近接位置に維持されるように一緒に乾燥される、該細菌芽胞と該Ｌ−アミノ酸との該乾燥した密接混合物を含む組成物を動物排泄物、床敷又は敷料に適用することを含む、方法。
【請求項２８】
サイレージを作製する方法であって、乾燥した密接混合物における細菌芽胞及びＬ−アミノ酸が、発芽を促す環境に達するまで近接位置に維持されるように一緒に乾燥される、該細菌芽胞と該Ｌ−アミノ酸との該乾燥した密接混合物を含む組成物をサイレージに適用することを含む、方法。
【請求項２９】
微生物石油増進回収（ＭＥＯＲ）の方法であって、乾燥した密接混合物における細菌芽胞及びＬ−アミノ酸が、発芽を促す環境に達するまで近接位置に維持されるように一緒に乾燥される、該細菌芽胞と該Ｌ−アミノ酸との該乾燥した密接混合物を含む組成物を油井に適用することを含む、方法。
【請求項３０】
疾患を治療又は予防するための組成物であって、乾燥した密接混合物における細菌芽胞及びＬ−アミノ酸が、発芽を促す環境に達するまで近接位置に維持されるように一緒に乾燥される、該細菌芽胞と該Ｌ−アミノ酸との該乾燥した密接混合物を含む組成物。